(57)【要約】【課題】      ケースに設けたハンドルの握持部が柔軟性を有する部材で支持されているためしっかり支持されずにぶらついて握持しにくいことである。【解決手段】  ケース１の外側面に設けた取付ベース１ａの凹部１ｂ内にハンドル本体２の両端部が支持され、ハンドル本体２の握持部２ａは可撓性を有し、その両端側に孔２ｂを有する突出部２ｂが突設され、突出部２ｂは孔２ｂに取付ベース１ａに設けたカバー体３の支持部４が差し込まれ、ハンドル本体２の長手方向に移動可能に遊嵌されている。【選択図】        図２
2006280646.tif 000002
【特許請求の範囲】
【請求項１】
ケースにハンドル本体の両端部が支持されたケースのハンドルにおいて、ハンドル本体の握持部は可撓性を有する材料で形成し、前記ハンドル本体の少なくとも一方の端部を前記ハンドル本体の長手方向に移動可能にケースに設けた支持部に遊嵌したことを特徴とするケースのハンドル。
【請求項２】
ケースはハンドル本体の前記一方の端部を覆うカバー体を有していることを特徴とする請求項１記載のケースのハンドル。
【請求項３】
ハンドル本体はケースに設けた支持部に当接して抜け止めされており、前記ハンドル本体の前記支持部に当接する部位に緩衝部材を設けたことを特徴とする請求項１または２記載のケースのハンドル。
【請求項４】
ハンドル本体は握持部と該握持部の前記一方の端部から突出する突部を有し、前記突部にハンドル本体の長手方向に延びる挿通孔を設け、該挿通孔に支持部を挿通したことを特徴とする請求項１乃至３記載のケースのハンドル。
【発明の詳細な説明】
【技術分野】
【０００１】
本発明は、物を収納して持ち運ぶケースのハンドルに関する。
【背景技術】
【０００２】
ケース類には、これを持ち運ぶためにハンドルが設けられているが、多くはハンドルの握持部が柔軟性を有する部材で支持されているため、しっかり支持されずにぶらついていた。
【０００３】
例えば、特許文献１の公報には、握持するパッド部の両端に帯状の布状体の一端が取り付けられ布状体の他端がケース本体に取り付けられた釣竿ケースが紹介されている。
しかし、このようなハンドルは、布状体が握持部を支えきれずぶらついてしまい握持しにくく、また、ハンドルが揺れると握持部がケース本体に衝突することもあり不快であった。
【特許文献１】特開２００１−２０４３４０号公報
【発明の開示】
【発明が解決しようとする課題】
【０００４】
解決しようとする課題は、ケースに設けたハンドルの握持部が柔軟性を有する部材で支持されているためしっかり支持されずにぶらついて握持しにくいことである。
【０００５】
本発明の目的は前記欠点に鑑み、ケースのハンドルがぶらつかずに容易に握持できるようにすることである。
【課題を解決するための手段】
【０００６】
上記課題を解決するために、
請求項１に係わる本発明は、ケースにハンドル本体の両端部が支持されたケースのハンドルにおいて、ハンドル本体の握持部は可撓性を有する材料で形成し、前記ハンドル本体の少なくとも一方の端部を前記ハンドル本体の長手方向に移動可能にケースに設けた支持部に遊嵌したことを要旨とするものである。
請求項２に係わる本発明は、ケースはハンドル本体の前記一方の端部を覆うカバー体を有していることを要旨とするものである。
請求項３に係わる本発明は、ハンドル本体は支持部に当接して抜け止めされており、前記ハンドル本体の前記支持部に当接する部位に緩衝部材を設けたことを要旨とするものである。
請求項４に係わる本発明は、ハンドル本体は握持部と該握持部の前記一方の端部から突出する突部を有し、前記突部にハンドル本体の長手方向に延びる挿通孔を設け、該挿通孔に支持部を挿通したことを要旨とするものである。
【発明の効果】
【０００７】
本発明の各請求項によると、ケースのハンドルがぶらつかずに支持され、握持する時は可撓性を有する握持部を変形させながら容易に手を掛けて握持できる。
【発明を実施するための最良の形態】
【０００８】
以下、本発明の実施形態を図面に基づき説明すると、図１から図４は本発明の実施例で、図１はケースの正面図、図２はＡ−Ａのハンドルの拡大側面断面図、図３はＡ−Ａの握持部を持ち上げたハンドルの拡大側面断面図、図４はＢ−Ｂのハンドルの拡大平面断面図である。
【０００９】
図１から図４によると、ケース１は、合成樹脂や皮革等で形成され、その内部に釣竿等の収納部を有する釣竿ケースで、その外側面に背中に背負うためのショルダーベルトＳと手で持ち上げて運搬するためのハンドルＨと、小物を収納するためのポケットＰが取り付けられている。
ケース１の側面には上下方向に開口が形成され、その開口には開閉用のチャックＣが設けられ開閉自在に形成されている。
【００１０】
ケース１の外側面のショルダーベルトＳの下側にハンドル本体２がその両端がケース本体２に支持されて設けられている。
ケース１に設けたハンドル本体２の取付位置にはハンドル本体２の取付ベース１ａが接着および縫着により取り付けられる。
取付ベース１ａは、外面側に凹部１ｂを有し、皿状に形成され、この凹部１ｂ内にハンドル本体２が設けられる。
【００１１】
取付ベース１ａの凹部１ｂ内の上下の両端側にそれぞれカバー体３が配され、取付ベース１ａに取り付けられている。
カバー体３は、その下側にハンドル本体２の一部が差し込まれる空間３ｂが形成され、それぞれ対向方向に空間３ｂの開口部３ａが形成される。
カバー体３は、空間３ｂに向かって突出する支持部４を有しこの支持部４の中を貫通してリベット５でケース１の取付ベース１ａに固定されている。
【００１２】
ハンドル本体２の握持部２ａは合成樹脂で可撓性を有し、ケース１の長手方向に長くなるように形成されその両端側に握持部２ａより硬い材料の金属等で形成した突出部２ｂが突設されている。
突出部２ｂは、コ字状に折曲して形成した金属片でその自由端の両端を握持部２ａの端部に埋設して取り付けられ、中央に上下方向に通じる孔２ｃが設けられている。
【００１３】
ハンドル本体２はその両端部にあたる突出部２ｂがカバー体３の開口部３ａからカバー体３の下側の空間３ｂに差し込まれており、突出部２ｂの孔２ｃにカバー体３に設けた支持部４が挿通されている。
突出部２ｂの孔２ｃはハンドル本体２の長手方向に延びる長孔で、ハンドル本体２の突出部２ｂは支持部４に対しハンドル本体２の長手方向に移動できるように遊嵌され、また、支持部４は取付ベース１ａに当接し空間３ｂの上下方向に架設されており、支持部４に突出部２ｂがその孔２ｃの内側で当接することで空間３ｂからの抜け止めがなされている。
【００１４】
また、突出部２ｂの端部側にゴム弾性を有する緩衝部材Ｋが取り付けられており、支持部４に突出部２ｂが当接する時はこの緩衝部材Ｋを介して衝撃および当接する時の音が緩和される。
また、空間３ｂは、突出部２ｂがハンドル本体２の長手方向に移動するように誘導する通路であり、また、その上方がカバー体３で覆われて形成されているため突出部２ｂが上方（図２，３における上方）に移動することを規制している。
すなわち、突出部２ｂは空間３ｂによってハンドル本体２の長手方向に移動するようになっておりその他の移動が規制されている。
【００１５】
このようにして、ハンドル本体２はその両端部を支持した状態において、ハンドル本体２の握持部２ａは、図２のように、自然状態で、取付ベース１ａの凹部１ｂ内でカバー体３の間に配されている。
ハンドル本体２の握持部２ａは、自然状態でケース１（取付ベース１ａ）に沿って添設されるように形成され、ケース１との間には僅かな間隙しか形成されずそのまま手を差し込める大きさの間隙はない。
また、この時のハンドル本体２は取付ベース１ａの凹部１ｂ内に収まった状態が維持され、ぶらつかず、ケース１外周への突出は少なくハンドル本体２が邪魔にならないようになっている。
【００１６】
ハンドル本体２の自然状態では握持部２ａから突設された突出部２ｂは握持部２ａの両端部から延長するように真っ直ぐ延び、空間３ｂ内に深く差し込まれており、握持部２ａの両端部は一対のカバー体３の開口部３ａ側の３ｃ端部に当接してハンドル本体２の長手方向の移動が規制されている。
【００１７】
図３のように、握持部２ａとケース１（取付ベース１ａ）との間に手を差し込んで握持部２ａを握持すると、握持部２ａはその可撓性によって中央が外方へ突出するように折曲し、握持部２ａとケース１との間に手を差し込むための充分な空間が容易に形成され確実に握持できるが、突出部２ｂが握持部２ａに向けて空間３ｂ内にてハンドル本体２の長手方向に誘導されて引き出され、その端部が空間３ｂ内に止まるためハンドル本体２が左右にぶれることが防止される。
また、突出部２ｂは緩衝部材Ｋを介して支持部４に当接し抜け止めされるため緩衝部材Ｋによって衝撃やがたつきや当接時の音が緩和される。
また、ケース１の運搬中は、握持部２ａの可撓性と突出部２ｂが支持部４に遊嵌されたことで手にかかる衝撃が緩和され、持ち運びが楽になる。
【００１８】
また、握持部２ａから手を離すとハンドル本体２は握持部２ａが変形する前のケース１（取付ベース１ａ）に沿った状態に戻り、取付ベース１ａの凹部１ｂ内に収まる。
【００１９】
なお、ハンドル本体２の一方の端部のみをハンドル本体２の長手方向に移動可能にケースに設けた支持部４に遊嵌してもよい。
また、ハンドル本体２は握持部２ａと突出部２ｂで形成したが、突出部２ｂは単一の軸部で形成するなど他の構成にしてもよく、また、握持部２ａと突出部２ｂを一体に形成した握持部を用いてもよい。
【産業上の利用可能性】
【００２０】
本発明は、ケースやバッグなどのケース類全般のハンドルに利用できる。
【図面の簡単な説明】
【００２１】
【図１】ケースの正面図である。
【図２】Ａ−Ａのハンドルの拡大側面断面図である。
【図３】Ａ−Ａの握持部を持ち上げたハンドルの拡大側面断面図
【図４】Ｂ−Ｂのハンドルの拡大平面断面図
【符号の説明】
【００２２】
１  ケース
２  ハンドル本体
２ａ  握持部
２ｂ突出部
３  カバー体
４  支持部
８  取付部
Ｋ  緩衝部材
【図１】
2006280646.tif 000003
【図２】
2006280646.tif 000004
【図３】
2006280646.tif 000005
【図４】
2006280646.tif 000006